(57)【要約】      （修正有）【課題】電源のオン・オフ操作で、直列接続された複数のＬＥＤ光源を間引き点灯できるＬＥＤ点灯装置を得る。【解決手段】照明装置は、第１の光源が接続される第１の接続部２３ａと、第１の光源と直列接続される第２の光源が接続される第２の接続部２３ｄと、第１の接続部の高電位側または第２の接続部の低電位側の少なくとも一方と第１の接続部の低電位側及び第２の接続部の高電位側と接続された第３の接続部２３ｂと、第１又は第２の光源と並列にスイッチング素子を有するバイパス回路と、電源の切り替え回数を検出する電源オン・オフ状態検出回路２１と、第３の接続部と第１の接続部の低電位側、及び第３の接続部と第２の接続部の高電位側とを接続する中間接続線２６と、電源オン・オフ状態検出回路の検出結果に基づきスイッチング素子のオン・オフを制御する制御手段２２と、を備える。【選択図】図２
2014017140.tif 000002
【特許請求の範囲】
【請求項１】
第１のＬＥＤ光源が接続される第１の接続部と、
前記第１のＬＥＤ光源と直列接続される第２のＬＥＤ光源が接続される第２の接続部と、
前記第１の接続部の高電位側または前記第２の接続部の低電位側の少なくとも一方と前記第１の接続部の低電位側及び前記第２の接続部の高電位側と接続された第３の接続部と、
前記第１のＬＥＤ光源又は前記第２のＬＥＤ光源と並列に設けられるスイッチング素子を有するバイパス回路と、
商用電源のオン・オフ状態が所定時間内に切り替わった回数を検出する電源オン・オフ状態検出回路と、
前記第３の接続部と前記第１の接続部の低電位側、及び前記第３の接続部と前記第２の接続部の高電位側とを接続する中間接続線と、
前記電源オン・オフ状態検出回路の検出結果に基づいて前記スイッチング素子のオン・オフを制御する制御手段と、
を備えるＬＥＤ点灯装置。
【請求項２】
前記第１の接続部または前記第２の接続部の少なくとも一方と前記第３の接続部との間に抵抗を備え、
前記制御手段は、前記抵抗の電位を検出することにより、前記第１のＬＥＤ光源又は前記第２のＬＥＤ光源の接続状態を判別して前記スイッチング素子のオン・オフを制御することを特徴とする請求項１に記載のＬＥＤ点灯装置。
【請求項３】
前記中間接続線は、前記第１の接続部の低電位側及び前記第２の接続部の高電位側と外部で接続されることを特徴とする請求項１または２のいずれかに記載のＬＥＤ点灯装置。
【請求項４】
前記制御手段は、前記第１のＬＥＤ光源又は前記第２のＬＥＤ光源のうちいずれか又は両方を点灯させるかを示す点灯モードを記憶する記憶部を有することを特徴とする請求項１乃至３のいずれかに記載のＬＥＤ点灯装置。
【請求項５】
前記記憶部は、電源オフした時の前記点灯モードを記憶し、
前記制御手段は、電源がオンした時に前記記憶部に記憶されている前記点灯モードを読み出して、前記スイッチング素子のオン・オフを制御することを特徴とする請求項４に記載のＬＥＤ点灯装置。
【請求項６】
請求項１乃至５のいずれかに記載のＬＥＤ点灯装置と、
第１のＬＥＤ光源又は第２のＬＥＤ光源が装着されるランプソケットと、
前記ランプソケット及び前記ＬＥＤ点灯装置が設けられた器具本体と、
を備えることを特徴とする照明器具。
【発明の詳細な説明】
【技術分野】
【０００１】
本発明は、電源のオン・オフ操作で、直列に接続された複数のＬＥＤモジュールを間引き点灯させるＬＥＤ点灯装置に関するものである。
【背景技術】
【０００２】
近年、省エネへの取り組みは各業界において様々な形態で行われている。特に、商業施設に設置される照明装置においては、電力を多く消費するために電力削減効果を上げることが必須である。このため現在、高効率なＬＥＤ照明が使用され始めているが、さらに消費電力を抑制するために、照明装置の照度を適切に設定制御する技術が数多く存在する。
【０００３】
従来のＬＥＤモジュールを装着できる照明器具においては、電源から電力が供給される期間と電力が供給されない停止状態が継続した期間との少なくともいずれかの期間を計測する電源計測部と、計測した期間が所定の期間より短いか否かを判定する期間判定部と、電源計測部が計測した期間が所定の期間より短いと上記期間判定部が判定した回数をカウントするカウント部と、カウント部がカウントした回数が第１の回数を上回った場合、光源の調光レベルを変更する点灯回路制御部とを備え、瞬時停電時においても意図に反して切り替わることの無く、明るさを落とし消費電力を削減できるＬＥＤ点灯装置があった。（特許文献１参照）
【０００４】
また、別のＬＥＤ点灯装置においては、互いに直列に接続された複数の発光部のそれぞれに１つずつ並列接続され、オンで導通状態になり、オフで遮断状態となる複数のスイッチ素子と、前記複数の発光部のいずれかにおけるＬＥＤのオープン故障を検出する保護回路と、前記保護回路がＬＥＤのオープン故障を検出した発光部に接続されたスイッチ素子をオンになるよう制御する制御回路とを備え、直列に接続されたＬＥＤの１つがオープン故障した場合に他のＬＥＤを保護し、一定の明るさを確保するＬＥＤ電源装置があった。（特許文献２参照）。
【先行技術文献】
【特許文献】
【０００５】
【特許文献１】特開２００９−１１０９１４号公報（００１１，００１４段落、第２図）
【特許文献２】特開２０１２−４２４０号公報（００２２段落、第１図）
【発明の概要】
【発明が解決しようとする課題】
【０００６】
特許文献１，２の従来のＬＥＤ照明では、電源スイッチによって直列に接続された複数のＬＥＤモジュールを個別に間引き点灯できないので、節電を視覚的に捉えながら消費電力を削減できないという問題があった。
【０００７】
この発明は上記の課題を解決するものであり、電源のオン・オフ操作で、直列に接続された複数のＬＥＤモジュールを個別に間引き点灯させることができるＬＥＤ点灯装置を提供することを目的とする。
【課題を解決するための手段】
【０００８】
本発明の照明装置は、
第１のＬＥＤモジュールが接続される第１の接続部と、
前記第１のＬＥＤモジュールと直列接続される第２のＬＥＤモジュールが接続される第２の接続部と、
前記第１の接続部の高電位側または前記第２の接続部の低電位側の少なくとも一方と前記第１の接続部の低電位側及び前記第２の接続部の高電位側と接続された第３の接続部と、
前記第１のＬＥＤモジュール又は前記第２のＬＥＤモジュールと並列に設けられたスイッチング素子を有するバイパス回路と、
商用電源のオン・オフ状態が所定時間内に切り替わった回数を検出する電源オン・オフ状態検出回路と、
前記第３の接続部と前記第１の接続部の低電位側、及び前記第３の接続部と前記第２の接続部の高電位側とを接続する中間接続線と、
前記電源オン・オフ状態検出回路の検出結果に基づいて前記スイッチング素子のオン・オフを制御する制御手段と、
を備えるＬＥＤ点灯装置である。
【発明の効果】
【０００９】
本発明の照明装置は、複数のＬＥＤモジュールを点灯させるＬＥＤ電源において、電源のオフ・オン状態を検出して間引き点灯を個別に行うことができるという効果がある。
【図面の簡単な説明】
【００１０】
【図１】照明器具１０００の全体図である。
【図２】実施の形態１に係るＬＥＤ点灯装置１１０の回路図を示す。
【図３】ＬＥＤモジュール１０１ａ（高電位側），１０１ｂ（低電位側）接続状態における等価回路図を示す。
【図４】Ａ部に発生する接続検出電圧値とＬＥＤモジュール１０１ａ（高電位側），１０１ｂ（低電位側）接続検出判定の基準となる３水準値を示す。
【図５】スイッチ１を使用した商用電源オン・オフによるモードエントリ動作に伴う点灯モードの順送り処理のフローチャートであり、（ａ）は「２灯点灯モード」から「１灯点灯モード」への順送り処理、（ｂ）は「１灯点灯モード」から「２灯点灯モード」への順送り処理、（ｃ）は「２灯点灯モード」から「１灯点灯モードＡ」、「１灯点灯モードＢ」への順送り処理を示す。
【図６】スイッチ１を使用した商用電源オン・オフによるモードエントリ動作を示し、（ａ）はフローチャート概略、（ｂ）はモードエントリ波形である。
【図７】実施の形態２に係るＬＥＤ点灯装置１２０の回路図を示す。
【図８】実施の形態３に係るＬＥＤ点灯装置１３０の回路図を示す。
【図９】実施の形態４に係るＬＥＤ点灯装置１４０の回路図を示す。
【図１０】実施の形態４を具体的に実現するランプソケット１００構造の一例である。
【図１１】実施の形態５に係るＬＥＤ点灯装置１５０の回路図を示す。
【図１２】ＬＥＤモジュール１０１ａ（高電位側），１０１ｂ（低電位側）の接続検出判定において、前回電源オフ時に１灯点灯モードであった場合のフローチャートである。
【図１３】ＬＥＤモジュール１０１ａ（高電位側），１０１ｂ（低電位側）の接続検出判定において、前回電源オフ時に２灯点灯モードであった場合のフローチャートである。
【図１４】実施の形態１乃至５に係る商用電源オフ時の処理を示す。
【図１５】実施の形態１乃至５に係る商用電源オン時からＬＥＤモジュール１０１ａ（高電位側），１０１ｂ（低電位側）点灯に至るまでのフローチャートである。
【発明を実施するための形態】
【００１１】
実施の形態１．
図１は、照明器具１０００の全体図である。
照明器具１０００は、器具本体２０００と、反射板３０００と、器具本体２０００の両端に取り付けられた一対のランプソケット１００とを備える。尚、外部の商用電源ＡＣから供給される交流電力を直流電力に変換するＬＥＤ点灯装置１１０（図２で説明）が器具本体２０００の内部に設けられている。
【００１２】
照明器具１０００は、本体である細長の直方形状の器具本体２０００の長手方向両端のそれぞれにランプソケット１００が取り付けられており、この両端のランプソケット１００の間に２灯の直管形ＬＥＤモジュール１０１ａ（高電位側），１０１ｂ（低電位側）が直列に装着されている。
【００１３】
反射板３０００が、器具本体２０００の下面に配置され、直管形ＬＥＤモジュール１０１ａ，１０１ｂが発した光を反射する。
【００１４】
ＬＥＤ点灯装置１１０は、両端のランプソケット１００に接続され、直管形ＬＥＤモジュール１０１ａ（高電位側），１０１ｂ（低電位側）に直流電力供給している。
【００１５】
直管形ＬＥＤモジュール１０１ａ，１０１ｂは、その内部に図示しない複数のＬＥＤ素子が配置されている。この複数のＬＥＤ素子に電流が流れるとＬＥＤ素子が発光する。
【００１６】
また、商用電源ＡＣとＬＥＤ点灯装置１１０との間に、スイッチ１（図示なし）が設けられている。
このスイッチ１がオンされると、ＬＥＤ点灯装置１１０を介して商用電源から直管形ＬＥＤモジュール１０１ａ（高電位側），１０１ｂ（低電位側）に電力が供給される。
【００１７】
尚、点灯装置１１０は照明器具１０００が設置されている天井の裏に配置されても良いし、照明器具１０００とは別置きとされても構わない。
【００１８】
ここで、図１に示した全体図のうち、直管形ＬＥＤモジュール１０１ａ，１０１ｂ等の光源が取り付けられていないものを照明器具１０００と定義しておく。また、この照明器具１０００に直管形ＬＥＤモジュール１０１ａ，１０１ｂ等の光源が取り付けられているものを照明装置と定義する。以降、この定義で説明する。
【００１９】
図２は、本発明の実施の形態１に係るＬＥＤ点灯装置１１０の回路図を示す。
【００２０】
ＬＥＤ点灯装置１１０は、整流回路２、第１インダクタ３、第１スイッチング素子４、第１制御ＩＣ５、ダイオード６、平滑コンデンサ７からなる昇圧チョッパ回路と、
第２スイッチング素子１１、定電流制御回路１２、第２インダクタ１３、ＬＥＤ電流検出抵抗２０からなる降圧チョッパ回路と、
抵抗８、ツェナーダイオード１０、抵抗９、抵抗１７，抵抗１８，抵抗１９からなる接続検出回路と、
第１ＦＥＴ１４、第２ＦＥＴ１５（バイパス回路）、ＦＥＴ駆動回路１６（制御手段）、電源のオフ・オン状態検出回路２１、マイクロコンピュータからなる制御回路２２と、
ＬＥＤ点灯装置１１０外部から、高電位側のＬＥＤモジュール１０１ａを取り付け可能な接続部２３ａ（第１の接続部），２３ｂ（第３の接続部）、及び低電位側のＬＥＤモジュール１０１ｂを取り付け可能な接続部２３ｃ（第３の接続部），２３ｄ（第２の接続部）からなる接続端子とを備えている。
【００２１】
なお、図２において、外部から供給される商用電源ＡＣとスイッチ１、ＬＥＤモジュール１０１ａ，１０１ｂは、ＬＥＤ点灯装置１１０の外部に配置される。
【００２２】
ここで、ＬＥＤ点灯装置１１０を構成する昇圧チョッパ回路と、降圧チョッパ回路と、接続検出回路と、制御回路の構成部品の接続について、図２を用いて説明する。
【００２３】
外部から供給される商用電源ＡＣは、ダイオードブリッジを含む整流回路２により全波整流され、脈流電圧へ変換される。
【００２４】
昇圧チョッパ回路は、商用電源ＡＣの両端子間に並列に接続された整流回路２と、整流回路２の両端子間に並列に、ドレイン端子（電源電位側）及びソース端子（グランド電位）が接続された第１スイッチング素子４と、第１スイッチング素子４のゲート端子に接続された第１制御ＩＣ５と、一端が整流回路２の電源電位側、かつ他端が第１スイッチング素子４のドレイン端子の間に接続された第１インダクタ３と、整流回路２の両端子間に並列に接続された平滑コンデンサ７と、アノード側が第１スイッチング素子４のドレイン端子、かつカソード側が2平滑コンデンサ７の電源電位側の間に接続されたダイオード６とから構成される。
昇圧チョッパ回路は、スイッチ１の後段に接続されており、スイッチ１がオンされると電力が供給される。
【００２５】
降圧チョッパ回路は、昇圧チョッパ回路の後段に接続される。
平滑コンデンサ７の電源電位側にドレイン端子、他端にソース端子が接続された第２スイッチング素子１１と、第２スイッチング素子１１のゲート端子と接続部２３ｄとの間に、接続された定電流制御回路１２と、第２スイッチング素子１１のソース端子と接続部２３ａとの間に、接続された第２インダクタ１３と、接続部２３ｄとグランド電位との間に、接続されたＬＥＤ電流検出抵抗２０とから構成される。
【００２６】
接続検出回路は、平滑コンデンサ７の電源電位側とグランド電位との間に直列に接続された、抵抗８及びツェナーダイオード１０と、ツェナーダイオード１０のカソード側と第２スイッチング素子１１のソース端子との間に接続された抵抗９と、第２インダクタ１３の他端と接続部２３ｂとの間に接続された抵抗１７と、グランド電位と接続部２３ｂとの間に直列接続された抵抗１８及び抵抗１９とから構成される。
【００２７】
制御回路は、接続部２３ａと接続部２３ｄとの間に、直列接続された第１ＦＥＴ１４及び第２ＦＥＴ１５と、第１ＦＥＴ１４、第２ＦＥＴ１５のゲート電極に接続した制御手段であるＦＥＴ駆動回路１６と、一端がスイッチ１を介して商用電源ＡＣに接続された電源のオフ・オン状態検出回路２１と、電源のオフ・オン状態検出回路２１の出力に接続されたマイクロコンピュータ２２と、さらに第１ＦＥＴ１４、第２ＦＥＴ１５の接続点と、第３接続部である接続部２３ｂ（接続部２３ｃ）との間に接続された中間接続線２６とから構成される。中間接続線２６は、接続部２３ｂ及び接続部２３ｃの間と抵抗１７及び抵抗１８の間と第１ＦＥＴ１４及び第２ＦＥＴ１５の間を接続するものである。第１ＦＥＴ１４及び第２ＦＥＴ１５はバイパス回路上に設けられており、このバイパス回路は、接続部２３ａと接続部２３ｄとをバイパスしてＬＥＤモジュール１０１ａ（高電位側），１０１ｂ（低電位側）と並列に設けられている。
【００２８】
接続端子は、高電位側のＬＥＤモジュール１０１ａ，低電位側のＬＥＤモジュール１０１ｂと外部接続できるよう、内部で配線された接続部２３ａ，２３ｂ，及び接続部２３ｃ，２３ｄとから構成される。
接続部２３ａは接続部２３ｂと一対をなし、この接続部２３ａ、２３ｂに高電位側のＬＥＤモジュール１０１ａを接続することができるようになっている。接続部２３ａ、ＬＥＤモジュール１０１ａのＬＥＤ素子、接続部２３ｂの順に電流が流れる。
【００２９】
同様に、接続部２３ｃは接続部２３ｄと一対をなし、この接続部２３ｃ、２３ｄに低電位側のＬＥＤモジュール１０１ｂを接続することができるようになっている。接続部２３ｃ、ＬＥＤモジュール１０１ｂのＬＥＤ素子、接続部２３ｄの順に電流が流れる。
本発明の実施の形態１においては、接続部２３ｂと接続部２３ｃが同電位となるよう、ＬＥＤ点灯装置１１０の内部で接続されている。
【００３０】
また、ＬＥＤモジュール１０１ａ，１０１ｂの内部には、複数のＬＥＤ素子２５ａ,２５ｂ,２５ｃ、及び複数のＬＥＤ素子２５ｄ,２５ｅ,２５ｆがそれぞれ電気的に直列に接続されており、その両端にはＬＥＤ点灯装置１１０の第１の接続部である接続部２３ａ、及び、第２の接続部である接続部２３ｄ、及び第３の接続部である接続部２３ｂ、２３ｃと接続可能な接続部（図示なし）が形成されている。
【００３１】
ここで、昇圧チョッパ回路と、降圧チョッパ回路と、接続検出回路と、制御回路の個々の機能について、図２を用いて説明する。
【００３２】
昇圧チョッパ回路は、第１制御ＩＣ５により第１スイッチング素子４のオン・オフ動作が駆動・制御され、入力電流の波形を正弦波状に制御し、力率を改善する目的で設けられている。さらに、昇圧チョッパ回路は、整流回路２で交流電圧を全波整流された脈流電圧を昇圧、平滑化し、平滑コンデンサ７の電圧を一定に保つように働く。なお、力率改善を行わない場合には、昇圧チョッパ回路は必要なく、直流電圧を生成する回路であれば昇圧チョッパ回路以外の回路構成でもよく、例えばコンデンサインプット形整流回路などを採用しても良い。
【００３３】
降圧チョッパ回路は、定電流制御回路１２により電流制御されＬＥＤモジュール１０１ａ，１０１ｂに一定電流を供給する。
定電流制御回路１２は、ＬＥＤ電流検出抵抗２０に発生する電流検出電圧と定電流制御回路１２の基準電圧を比較し、ＬＥＤ電流検出抵抗２０の電圧を基準電圧と同じになるように制御する。すなわち、ＬＥＤ電流検出抵抗２０の抵抗値は一定であるので、ＬＥＤ素子に一定の電流が流れるように制御される。降圧チョッパ回路のＬＥＤ電流の調整は、定電流制御回路１２が第２スイッチング素子１１のゲートに出力する電圧のオンディーティ比の設定により行う。
【００３４】
接続検出回路は、外部から供給される商用電源ＡＣが投入されると、平滑コンデンサ７に充電された電荷が、平滑コンデンサ７、抵抗８，抵抗９、抵抗１７，抵抗１８，抵抗１９の経路で電流が流れる。抵抗１９の低電圧側は接地されている。
【００３５】
抵抗１８と抵抗１９の接続点をＡ部とする。以降の説明において、Ａ部に発生する電圧を接続検出電圧と呼ぶ。
また、Ａ部に発生する接続検出電圧値は、マイクロコンピュータ２２に出力される。
【００３６】
抵抗９には、電解コンデンサ７の電圧を、抵抗８，抵抗９、抵抗１７，抵抗１８，抵抗１９、識別用抵抗２４ａ，２４ｂで分圧した電圧が発生する。この時、抵抗９に発生する電圧をツェナーダイオード１０のツェナー電圧以上になるように抵抗８，抵抗９、抵抗１７，抵抗１８，抵抗１９の抵抗値は設定される。これにより、抵抗９にはツェナー電圧以上の電圧が発生してもツェナーダイオード１０のツェナー電圧で上限値が制限されるので、抵抗９に発生する電圧は一定電圧になる。
【００３７】
例えば、入力電圧が１００Ｖ〜２４２Ｖの範囲を持つ場合、昇圧チョッパ回路が動作する前は平滑コンデンサ７には、概略電圧実効値の√２倍の電圧が印加される。入力電圧が異なる場合でも、ツェナーダイオード１０を用いて、抵抗９に印加される電圧を一定電圧にすることで、接続検出回路を形成する抵抗９以降の経路においては、電位に差異がないものとすることができる。これにより、接続検出回路は入力電圧の変動の影響を受けない。
【００３８】
なお、実動作においては、抵抗１７，抵抗１８，抵抗１９の合成抵抗値は出力端子に接続されるＬＥＤモジュール１０１ａ，１０１ｂのインピーダンスより遥かに大きいため、直列に接続された抵抗１７，抵抗１８，抵抗１９には微小な電流しか流れない。
【００３９】
制御回路は、ＬＥＤ点灯装置１１０の外部からスイッチ１を介して供給される商用電源ＡＣの電圧が印加されているか否かを、電源オフ・オン状態検出回路２１により検出する。電源オフ・オン状態検出回路２１は、マイクロコンピュータ２２に検出信号を出力する。
【００４０】
マイクロコンピュータ２２は、電源オフ・オン状態検出回路２１の検出結果に基づいて、電力供給状態（オン）から電力供給停止状態（オフ）に切り替えられてから、次に電力供給状態（オン）に切り替えられるまでのオフ・オン時間と回数をカウント部（図示なし）にて特定する。
【００４１】
また、マイクロコンピュータ２２は、接続検出回路を形成するＡ部に発生する接続検出電圧を接続検出電圧として、ＬＥＤモジュール１０１ａ（高電位側），１０１ｂ（低電位側）の接続状態を判定する接続検出判定部（図示なし）を有する。
【００４２】
マイクロコンピュータ２２は、電源オフ・オン状態検出回路２１から出力された電圧と、Ａ部に発生する接続検出電圧に基づいて、定電流制御回路１２とＦＥＴ駆動回路１６の制御を行う。
【００４３】
マイクロコンピュータ２２は、接続検出電圧及び電流検出電圧の出力をモニタし、第１制御ＩＣ５、定電流制御回路１２、ＦＥＴ駆動回路１６に制御信号を出力し制御している。例えば、接続検出電圧の出力に基づいて、マイクロコンピュータ２２はＬＥＤモジュール１０１ａ（高電位側）が接続されていないと判断したとき、第１ＦＥＴ１４をオン状態にする制御信号をＦＥＴ駆動回路１６に出力する。
【００４４】
ＦＥＴ駆動回路１６は、マイクロコンピュータ２２から出力される制御信号に基づき、第１ＦＥＴ１４，第２ＦＥＴ１５のゲート端子電圧を変化させて、ＦＥＴ１４，第２ＦＥＴ１５の導通状態を制御する。
このため、マイクロコンピュータ２２からＦＥＴ駆動回路１６に対して、第１ＦＥＴ１４及び、第２ＦＥＴ１５を導通させる信号が入力されない限り、第１ＦＥＴ１４及び、第２ＦＥＴ１５はオフ状態を維持する。
【００４５】
以上のように、実施の形態１においては、外部から入力される商用電源ＡＣのオフ・オンを電源のオフ・オン状態検出回路２１が検出し、電源オフ・オン状態検出回路２１の検出結果に基づいて、マイクロコンピュータ２２が第１ＦＥＴ１４及び、第２ＦＥＴ１５をバイパス制御するので、ＬＥＤモジュール１０１ａ（高電位側），１０１ｂ（低電位側）の間引き点灯を実施できるという効果がある。
【００４６】
図３は、ＬＥＤモジュール１０１ａ（高電位側），１０１ｂ（低電位側）接続状態における等価回路図を示しており、図３の（ａ）〜（ｄ）は実施の形態１に対応して、ＬＥＤモジュール１０１ａ，１０１ｂの接続状態を等価回路で示した図である。
図３の（ｅ）は、後述する実施の形態５に係るＬＥＤ点灯装置１５０において、高電位側のＬＥＤモジュール１０１ａ，低電位側のＬＥＤモジュール１０１ｂとも、それぞれ接続部２３ｂ，接続部２３ｃへの接続が行われているときの接続状態を等価回路で示した図である。
図３の（ｆ）は、後述する実施の形態５に係るＬＥＤ点灯装置１５０において、高電位側のＬＥＤモジュール１０１ａ，低電位側のＬＥＤモジュール１０１ｂの両方もしくは、いずれか一方が、それぞれ接続部２３ａ，接続部２３ｄへの接続が行われていないときの接続状態を等価回路で示した図である。
【００４７】
図３（ａ）は、図２においてＬＥＤモジュール１０１ａ，１０１ｂが２灯とも接続されている状態の等価回路である。図３（ｂ）は低電位側のＬＥＤモジュール１０１ｂのみが接続されている状態の等価回路である。図３（ｃ）は、高電位側のＬＥＤモジュール１０１ａのみが接続されている状態の等価回路である。図３（ｄ）は、ＬＥＤモジュール１０１ａ，１０１ｂが２灯とも接続されていない状態の等価回路である。
【００４８】
また、図中のＡ部は、接続検出回路を形成する抵抗１９からマイクロコンピュータ２２に出力される接続検出電圧値の測定位置を示す。
【００４９】
図３の等価回路のＡ部に発生する接続検出電圧値は、図４の右上部分に「条件」として記載した各抵抗値に設定した場合、それぞれ図４（ａ）〜（ｆ）が算出される。
図３では、それぞれの抵抗値は、ツェナーダイオード１０は３６Ｖ，抵抗９は１０００ｋΩ、抵抗１７は１５０ｋΩ、抵抗１８は７５ｋΩ、抵抗１９は７５ｋΩ、識別用抵抗２４ａは３００ｋΩ、識別用抵抗２４ｂは３００ｋΩに設定されている。
【００５０】
いま、ツェナーダイオード１０にかかる一定電圧を３６Ｖとした場合、接続検出の判定時には、抵抗９とツェナーダイオード１０のカソードの間とグランド電位には３６Ｖの一定電圧が印加される。前述したように、ＬＥＤモジュール１０１ａ，１０１ｂの接続状態によって、Ａ部に発生する接続検出電圧値はそれぞれ異なる。
【００５１】
図３（ａ）〜図３（ｆ）において、Ａ部に発生する接続検出電圧値は、抵抗での分圧抵抗値を計算することで求められる。
Ａ部に発生する接続検出電圧値は、図３（ａ）では１．５０Ｖ、図３（ｂ）では１．４４Ｖ、図３（ｃ）では２．１６Ｖ、図３（ｄ）では２．０８Ｖ、図３（ｅ）では１．５０Ｖ、図３（ｆ）では２．０８Ｖとなる。
【００５２】
図４は、Ａ部に発生する接続検出電圧値とＬＥＤモジュール１０１ａ（高電位側），１０１ｂ（低電位側）接続検出判定の基準となるよう規定した３水準値を示す。
図３においてＡ部に発生する接続検出電圧値と、予め定められた接続検出判定の基準となる３水準値の関係を示している。
【００５３】
これに対して、図４の左端部に示すように、マイクロコンピュータ２２内で接続検出判定の３水準値をそれぞれ１．４６Ｖ，１．８０Ｖ，２．１２Ｖと設定することにより、マイクロコンピュータ２２は、Ａ部に発生する接続検出電圧値から、接続部２３ａ,２３ｂ,２３ｃ,２３ｄへのＬＥＤモジュールの接続状態を判断することができる。すなわち、Ａ部に発生する接続検出電圧値を検出することにより、ＬＥＤモジュール１０１ａ（高電位側），１０１ｂ（低電位側）の脱着状態有無を判別することができる。
【００５４】
また、ＬＥＤ点灯装置１１０は、接続部２３ａ,２３ｂ,２３ｃ,２３ｄへのＬＥＤモジュール１０１ａ，１０１ｂの接続状態に応じて、「２灯点灯モード」と「１灯点灯モード」の２つの点灯モードを有している。
【００５５】
１つ目は、「２灯点灯モード」であり、ＬＥＤモジュール１０１ａ，１０１ｂを２灯とも点灯させる第１のモードである。
【００５６】
「２灯点灯モード」の動作は、マイクロコンピュータ２２から出力される制御信号に基づき、第１ＦＥＴ１４，第２ＦＥＴ１５のゲート端子への電圧を変化させて供給する。第１ＦＥＴ１４，第２ＦＥＴ１５の両方をオフさせて、外部接続されるＬＥＤモジュール１０１ａ（高電位側），１０１ｂ（低電位側）を２灯とも点灯させるモードである。
【００５７】
もう１つは、「１灯点灯モード」であり、ＬＥＤモジュール１０１ａ（高電位側），１０１ｂ（低電位側）のうち、いずれかの１灯のみを点灯させる第２のモードである。
【００５８】
「１灯点灯モード」の動作は、第１ＦＥＴ１４，第２ＦＥＴ１５のいずれかをオンさせて、ＬＥＤモジュールに流れる電流をＬＥＤモジュールと並列に接続されているＦＥＴにバイパスさせ、中間接続線２６を経由させることにより、一方のＬＥＤモジュールに電流を流すことなく、他方のＬＥＤモジュールにのみ電流の流れる経路を形成するモードである。
このため、オフしているＦＥＴと並列に接続されているＬＥＤモジュールのみを点灯させることが可能である。
【００５９】
この「１灯点灯モード」のうち、ＬＥＤモジュール１０１ａ（高電位側）の１灯のみを点灯させるモードを「１灯点灯モードＡ」と呼び、ＬＥＤモジュール１０１ｂ（低電位側）の１灯のみを点灯させるモードを「１灯点灯モードＢ」と呼ぶ。以降この名称で説明する。
【００６０】
図５は、スイッチ１を使用した商用電源オン・オフによるモードエントリ動作に伴う点灯モードの順送り処理のフローチャートを示す。
【００６１】
マイクロコンピュータ２２は、スイッチ１のオフ・オン制御が実施された回数をカウント部にてカウントしている。
予め定められたカウント数に達すると、「２灯点灯モード」と「１灯点灯モード」間で、順送り処理を行い、点灯モードの切替え動作を行う。
【００６２】
図５（ａ）は、「２灯点灯モード」から開始し、「１灯点灯モード」への順送り処理を示す。
「２灯点灯モード」から「１灯点灯モード」への順送り処理が実行されると、その後は、再び「２灯点灯モード」へと戻る。以降、スイッチ１の断続によりモードエントリが受け付けられるたびに、順送り処理が繰り返される。
【００６３】
図５（ｂ）は、「１灯点灯モード」から開始し、「２灯点灯モード」への順送り処理を示す。
「１灯点灯モード」から「２灯点灯モード」への順送り処理が実行されると、その後は、再び「１灯点灯モード」へと戻る。以降、スイッチ１の断続によりモードエントリが受け付けられるたびに、順送り処理が繰り返される。
【００６４】
図５（ｃ）は、「２灯点灯モード」から開始し、「１灯点灯モードＡ」さらに「１灯点灯モードＢ」への順送り処理を示す。
「２灯点灯モード」から「１灯点灯モードＡ」への順送り処理が実行されると、その後は、さらに「１灯点灯モードＢ」へと戻る。以降、スイッチ１の断続によりモードエントリが受け付けられるたびに、「２灯点灯モード」から「１灯点灯モードＡ」へ、その後は、「１灯点灯モードＢ」へと順送り処理が繰り返される。
【００６５】
なお、上記以外に、点灯モードの順送り処理の順序は任意に設定されて構わない。
【００６６】
図６は、スイッチ１を使用した商用電源オン・オフによるモードエントリ動作を示し、（ａ）はフローチャート概略、（ｂ）はモードエントリ波形である。
【００６７】
図６（ａ）は、スイッチ１を使用した商用電源オン・オフ操作によるモードエントリ動作のフローチャート概略を示す。商用電源ＯＮから、商用電源ＯＦＦ、以降・・・と繰り返す。
【００６８】
ここで、図６（ｂ）において、電力供給状態（オン）から電力供給停止状態（オフ）に切り替えられ、電力供給停止状態（オフ）が一定停止時間よりも短い期間に、電力供給状態（オン）に切り替えられる制御を「オフ・オン制御」と定義しておく。
【００６９】
図６（ｂ）に示すように、スイッチ１を断続して商用電源「オフ・オン制御」を”規定回数”行うことで、各点灯モードへのモードエントリが実現できる。（例えば、商用電源をＯＮした状態から、３秒以内に商用電源「オフ・オン制御」を３回行う。）
スイッチ１を断続して、ＬＥＤ点灯装置１１０に商用電源の供給の切替えを繰り返し行う。これにより所望の点灯モードにエントリする。
【００７０】
なお、上記において、商用電源「オフ・オン制御」の”時間間隔”及び”規定回数”は、設計に合わせて、任意に設定されてかまわない。
【００７１】
また、電力供給停止状態（オフ）が、一定停止時間よりも長いものは、通常の電力供給停止として扱い、マイクロコンピュータ２２のカウント部でカウントは実施しない。これにより、通常の点灯／消灯の操作においても意図に反して点灯モードが切り替わることを防ぐことができる。
【００７２】
実施の形態２．
図７は、本実施の形態２に係るＬＥＤ点灯装置１２０の回路図である。なお、ＬＥＤ点灯装置１３０〜１５０についても後述する。
【００７３】
図２の実施の形態１で説明した構成と比較して、抵抗８，抵抗９、ツェナーダイオード１０と、接続部２３ａと接続部２３ｄ間に接続された抵抗１７，抵抗１８，抵抗１９からなる接続検出回路と、接続部２３ａと接続部２３ｂ間にＬＥＤモジュール１０１ａ（高電位側）内に接続された識別用抵抗２４ａと、接続部２３ｃと接続部２３ｄ間にＬＥＤモジュール１０１ｂ（低電位側）内に接続された識別用抵抗２４ｂとが削除され、オープン状態になっている。
それ以外は実施の形態１と同様の構成であるので説明を省略する。
【００７４】
なお、一般的にＪＥＬ８０１に規定される直管形ＬＥＤモジュールシステムには、識別用抵抗２４ａ，２４ｂが装着されているが、識別用抵抗２４ａ，２４ｂを有さないＬＥＤモジュールにおいては、接続検出を行うことができないので、接続検出回路を省略しても良い。
この場合、接続検出判定は行わず、オフ・オン操作で「２灯点灯モード」と、「１灯点灯モード」の切替えのみを実施することになる。
【００７５】
「１灯点灯モードＡ」或いは「１灯点灯モードＢ」の場合、ＬＥＤモジュール１０１ａ，１０１ｂのいずれかのＬＥＤモジュールを点灯させるように、ＦＥＴ駆動回路１６を用いて第１ＦＥＴ１４，第２ＦＥＴ１５を制御し、中間接続線２６を経由してバイパスさせて、ＬＥＤモジュール１０１ａ（高電位側）の１灯のみを点灯させる「１灯点灯モードＡ」と、ＬＥＤモジュール１０１ｂ（低電位側）の１灯のみを点灯させる「１灯点灯モードＢ」とを切替えれば良い。
【００７６】
以上のように、実施の形態２によれば、接続検出を行わない構成としたので、従来のように、接続検出判定手段を必要とせず、部品数を削減・および製造工程を簡素化できるという効果がある。
【００７７】
実施の形態３．
図８は、本実施の形態３に係るＬＥＤ点灯装置１３０の回路図である。
【００７８】
図７の実施の形態２で説明した構成と比較して、さらに第１ＦＥＴ１４が削除され、接続部２３ａと接続部２３ｂ間がオープン状態になっている。それ以外は実施の形態２と同様の構成であるので説明を省略する。
【００７９】
ＬＥＤモジュール１０１ａ，１０１ｂ内に識別用抵抗２４ａ，２４ｂを有さないものでは、接続検出判定を行うことができないため、第１ＦＥＴ１４，第２ＦＥＴ１５のいずれかを選択して点灯することがなく、ＬＥＤモジュールのどちらか一方のみにバイパス用のＦＥＴを並列に接続しておけば良い。図８では、図２で示した実施の形態１と比較して、さらに間引きするＬＥＤモジュールをＬＥＤモジュール１０１ｂ（低電位側）のみに限定して、簡素化を図ったものである。
【００８０】
なお、図８の本実施の形態３に示す「１灯点灯モードＡ」においては、低電位側のＬＥＤモジュール１０１ｂの側にのみ並列に第２ＦＥＴ１５を接続しているが、これとは逆に「１灯点灯モードＢ」において、高電位側のＬＥＤモジュール１０１ａの側にのみ並列に第１ＦＥＴ１４を接続する構成としても良い。
【００８１】
以上のように、実施の形態３によれば、接続検出を行わない構成としたので、従来のように、接続検出判定手段を必要とせず、部品数を削減・および製造工程を簡素化できるという効果がある。
【００８２】
実施の形態４．
図９は、本実施の形態４に係るＬＥＤ点灯装置１４０の回路図である。
【００８３】
図２の実施の形態１で説明した構成と比較して、ＬＥＤ点灯装置１４０側の内部で配線が結合されており、外部に接続されるＬＥＤモジュール１０１ａ（高電位側），１０１ｂ（低電位側）との接続部の数が１つ削減されている。ここでは、接続部２３ｂ,２３ｃの代わりに接続部２３ｅに変更されている。接続部２３ｅは、ＬＥＤモジュール１０１ａ，１０１ｂの第１の接続部の低電位側、及び第２の接続部の高電位側と接続される。
【００８４】
実施の形態１においては、ＬＥＤモジュールが接続される接続部２３ｂ,２３ｃにつながる出力線がＬＥＤ点灯装置１１０の内部で枝分かれ、接続部が計４つ形成されていたが、実施の形態４においては、ＬＥＤ点灯装置１４０に結線する前に、第１の接続部の低電位側及び第２の接続部の高電位側とが共通接続できるランプソケット１００が採用されており、ＬＥＤ点灯装置１４０側の接続部を３つに削減したものである。
それ以外は実施の形態１と同様の構成である。
【００８５】
以上のように、実施の形態４によれば、ＬＥＤ点灯装置１４０に結線する前に共通接続を行い、ＬＥＤ点灯装置１４０への結線を３つに削減し、ＬＥＤ点灯装置１４０の接続部の数を減らした構成としたので、従来と比較して、ＬＥＤ点灯装置１４０の部品数を削減及び製造工程を簡素化できるという効果がある。
【００８６】
上記、実施の形態４の具体的な実現方法の一例としては、図１０に示すような構造を有したランプソケット１００が挙げられる。
この場合のランプソケット１００は、一般的にＪＥＬ８０１で規定される直管形ＬＥＤ
ランプシステムに使用するソケットを想定している。ランプソケット１００は、各極に２
本の配線が接続できるよう２つの端子がある。端子間を配線で接続し、一方の端子からＬ
ＥＤ点灯装置１４０の接続部２３ｅに配線することで、共通接続とすることができる。
【００８７】
実施の形態５．
図１１は、本実施の形態５に係るＬＥＤ点灯装置１５０の回路図である。
【００８８】
図２の実施の形態１で説明した構成と比較して、高電位側のＬＥＤモジュール１０１ａ，低電位側のＬＥＤモジュール１０１ｂとも、それぞれ接続部２３ｂ，接続部２３ｃへの接続は行わずに、接続部２３ａ，接続部２３ｄにのみ接続されている。これにより、間引き点灯を行うことができなくなるが、１灯点灯が不要なことがあらかじめわかっている場合は、ＬＥＤ照明器具の組立て時の配線を減らすことができる。
【００８９】
また、図３の（ｅ）（ｆ）、図４の（ｅ）（ｆ）が実施の形態５に対応した接続検出判定の結果となる。接続部２３ｂ，２３ｃへの接続しているときと同様に、ランプの２灯接続状態とそれ以外を接続検出判定電圧にて判定を行うことができる。
【００９０】
以上のように、実施の形態５によれば、高電位側のＬＥＤモジュール１０１ａ，低電位側のＬＥＤモジュール１０１ｂとも、接続部２３ｂ，２３ｃへの接続は行わずに、接続部２３ａ，２３ｄにのみ接続されるので、間引き点灯が不要な場合は、ＬＥＤ照明器具の組立て時の配線を減らすことができるという効果がある。
【００９１】
ここから、図２のＬＥＤ点灯装置１１０を参照しながら、ＬＥＤモジュール１０１ａ（高電位側），１０１ｂ（低電位側）の接続検出判定について図１２を用いて説明する。
図１２は、ＬＥＤモジュール１０１ａ（高電位側），１０１ｂ（低電位側）の接続検出判定において、前回電源オフ時に１灯点灯モードであった場合のフローチャートである。
【００９２】
スイッチ１を閉じて、商用電源がＯＮとすると、ＬＥＤ点灯装置１１０に外部から商用電源ＡＣが供給される。
【００９３】
マイクロコンピュータ２２は起動して、最初にフラッシュメモリ内に記憶されている、点灯モードの設定情報を読み出す（ステップＳ１Ａ）。
【００９４】
これにより、マイクロコンピュータ２２は前回電源オフした時の点灯モードを認識して、先に説明した「２灯点灯モード」あるいは、「１灯点灯モード」のいずれかの点灯モードが選択される（ステップＳ２Ａ）。
【００９５】
具体的には、ＬＥＤ点灯装置１１０の終了時に、マイクロコンピュータ２２内のフラッシュメモリなどの不揮発性メモリ内（記憶部）に、ＬＥＤモジュール１０１ａ（高電位側），１０１ｂ（低電位側）との、前回電源オフした時の接続情報を記憶させておく。そして、ＬＥＤ点灯装置１１０の起動時に読み出す。
【００９６】
Ｓ２Ａにおいて、ＬＥＤモジュール１０１ａ（高電位側），１０１ｂ（低電位側）との、前回電源オフした時の接続情報を点灯モードが「１灯点灯モード」と判断された場合について説明を行う。
【００９７】
一般的に、ＬＥＤ点灯装置１１０内には、平滑コンデンサ７、及び配線間の寄生容量成分が多く含まれるために、外部から供給される商用電源ＡＣが投入されても、Ａ部に発生する接続検出電圧が十分安定するまでは、接続検出判定を行わないよう、接続判定検出時間（例えば０．５秒）が予め定められている。この予め定められた接続判定検出時間経過後（ステップＳ３ＡでＹＥＳ）に、ＬＥＤモジュール１０１ａ（高電位側），１０１ｂ（低電位側）の接続検出判定を行う（ステップＳ４Ａ以降）。
【００９８】
もし、接続判定検出時間である０．５秒が経過していない場合は、ＮＯへ進み、接続判定検出時間が０．５秒経過するまで、待機する。
【００９９】
この後、接続判定検出時間が０．５秒経過すると、Ｓ４Ａに進み、ＬＥＤモジュール１０１ａ，１０１ｂの接続検出判定を開始する。
【０１００】
接続判定検出時間は、適用する回路によって寄生容量値が異なるため、適宜、待機時間を設定してよいが、商用電源ＡＣ投入からＬＥＤモジュール１０１ａ，１０１ｂが点灯するまでの時間を考慮すると、１秒以内に設定されることが通常望ましい。
【０１０１】
最初に、Ａ部に発生する接続検出電圧値が１．４６Ｖ以下であるかどうか、第一の接続検出判定が行われる。（ステップＳ４Ａ）
【０１０２】
第一の接続検出判定（Ｓ４Ａ）において、Ａ部に発生する接続検出電圧値が１．４６Ｖ以下である場合、ＹＥＳへ進む。
すると、マイクロコンピュータ２２は、ＦＥＴ駆動回路１６に制御信号を出力し、第１ＦＥＴ１４をオン、第２ＦＥＴ１５をオフする。（ステップＳ５Ａ）。
【０１０３】
これと同時に、マイクロコンピュータ２２は、定電流制御回路１２を動作開始させる。（ステップＳ６Ａ）。
【０１０４】
このため、ＬＥＤモジュール１０１ｂ（低電位側）のみを点灯させる（「１灯点灯モードＢ」）。（ステップＳ７Ａ）
【０１０５】
第一の接続検出判定（Ｓ４Ａ）において、Ａ部に発生する接続検出電圧値が１．４６Ｖ以下でない場合、ＮＯへ進み、第二の接続検出判定（Ｓ８Ａ）に移行する。
【０１０６】
次に、Ａ部に発生する接続検出電圧値が１．８０Ｖ以下であるかどうか、第二の接続検出判定が行われる。（ステップＳ８Ａ）
【０１０７】
第二の接続検出判定（Ｓ８Ａ）において、Ａ部に発生する接続検出電圧値が１．８０Ｖ以下である場合、ＹＥＳへ進む。
すると、マイクロコンピュータ２２は、ＦＥＴ駆動回路１６に制御信号を出力し、第１ＦＥＴ１４をオフ、第２ＦＥＴ１５をオンする。（ステップＳ９Ａ）。
【０１０８】
これと同時に、マイクロコンピュータ２２は、定電流制御回路１２を動作開始させる。（ステップＳ１０Ａ）。
【０１０９】
このため、ＬＥＤモジュール１０１ａ（高電位側）のみを点灯させる（「１灯点灯モードＡ」）。（ステップＳ１１Ａ）この時、ＬＥＤモジュールは２灯接続されているため、ＬＥＤモジュール１０１ｂ（低電位側）を点灯させる制御を行っても良い。
【０１１０】
第二の接続検出判定（Ｓ８Ａ）において、Ａ部に発生する接続検出電圧値が１．８０Ｖ以下でない場合、ＮＯへ進み、第三の接続検出判定（Ｓ１２Ａ）に移行する。
【０１１１】
さらに、Ａ部に発生する接続検出電圧値が２．１２Ｖ以下であるかどうか、第三の接続検出判定が行われる。（ステップＳ１２Ａ）
第三の接続検出判定（Ｓ１２Ａ）において、Ａ部に発生する接続検出電圧値が２．１２Ｖ以下である場合、ＹＥＳへ進む。
【０１１２】
すると、マイクロコンピュータ２２は、定電流制御回路１２の動作停止を継続させる。（ステップＳ１３Ａ）。
【０１１３】
この場合は、点灯させるＬＥＤモジュールが接続されていないため、マイクロコンピュータ２２は、第１ＦＥＴ１４、第２ＦＥＴ１５を制御せず、定電流制御回路１２の動作停止を継続させる。
【０１１４】
第三の接続検出判定（Ｓ１２Ａ）において、Ａ部に発生する接続検出電圧値が２．１２Ｖ以下でない場合、ＮＯへ進み、（Ｓ１４Ａ）に移行する。
【０１１５】
すると、マイクロコンピュータ２２は、ＦＥＴ駆動回路１６に制御信号を出力し、第１ＦＥＴ１４をオフ、第２ＦＥＴ１５をオンする。（ステップＳ１４Ａ）。
【０１１６】
これと同時に、マイクロコンピュータ２２は、定電流制御回路１２を動作開始させる。（ステップＳ１５Ａ）。
【０１１７】
このため、ＬＥＤモジュール１０１ａ（高電位側）のみを点灯させる（「１灯点灯モードＡ」）。（ステップＳ１６Ａ）
【０１１８】
その後、一連の処理が終了する。（エンド）。
【０１１９】
図１３は、ＬＥＤモジュール１０１ａ（高電位側），１０１ｂ（低電位側）の接続検出判定において、前回電源オフ時に２灯点灯モードであった場合のフローチャートである。
【０１２０】
次に、Ｓ２Ａにおいて、ＹＥＳへ進み、ＬＥＤモジュール１０１ａ，１０１ｂとの、前回電源オフした時の接続情報を点灯モードが「２灯点灯モード」と判断された場合について説明を行う。
【０１２１】
ここで、先に述べたようにＡ部に発生する接続検出電圧値が十分安定するまでは、接続検出判定を行わないように、予め定められた接続判定検出時間（例えば０．５秒）経過後にＹＥＳへ進み、ＬＥＤモジュール１０１ａ，１０１ｂの接続検出判定を行う（ステップＳ１７Ａ）。
接続判定の検出時間については、０．５秒としているが、「１灯点灯モード」で説明実施した場合と同様に、適時設定して構わない。
【０１２２】
以下、接続検出判定の流れは同様であるので、先ほど説明した、接続判定検出と同じ工程を辿って、繰り返し記述する。
【０１２３】
最初に、Ａ部に発生する接続検出電圧値が１．４６Ｖ以下であるかどうか、第一の接続検出判定が行われる。（ステップＳ１８Ａ）
【０１２４】
第一の接続検出判定（Ｓ１８Ａ）において、Ａ部に発生する接続検出電圧値が１．４６Ｖ以下である場合、ＹＥＳへ進む。
すると、マイクロコンピュータ２２は、ＦＥＴ駆動回路１６に制御信号を出力し、第１ＦＥＴ１４をオン、第２ＦＥＴ１５をオフする。（ステップＳ１９Ａ）。
【０１２５】
これと同時に、マイクロコンピュータ２２は、定電流制御回路１２を動作開始させる。（ステップＳ２０Ａ）。
【０１２６】
このため、ＬＥＤモジュール１０１ｂ（低電位側）のみを点灯させる（「１灯点灯モードＢ」）。（ステップＳ２１Ａ）
【０１２７】
第一の接続検出判定（Ｓ１８Ａ）において、Ａ部に発生する接続検出電圧値が１．４６Ｖ以下でない場合、ＮＯへ進み、第二の接続検出判定（Ｓ２２Ａ）に移行する。
【０１２８】
次に、Ａ部に発生する接続検出電圧値が１．８０Ｖ以下であるかどうか、第二の接続検出判定が行われる。（ステップＳ２２Ａ）
【０１２９】
第二の接続検出判定（Ｓ２２Ａ）において、Ａ部に発生する接続検出電圧値が１．８０Ｖ以下である場合、ＹＥＳへ進む。
すると、マイクロコンピュータ２２は、ＦＥＴ駆動回路１６に制御信号を出力し、第１ＦＥＴ１４、第２ＦＥＴ１５を共にオフする。（ステップＳ２３Ａ）。
【０１３０】
これと同時に、マイクロコンピュータ２２は、定電流制御回路１２を動作開始させる。（ステップＳ２４Ａ）。
【０１３１】
このため、ＬＥＤモジュール１０１ａ（高電位側），１０１ｂ（低電位側）共に点灯させる。（ステップＳ２５Ａ）
【０１３２】
第二の接続検出判定（Ｓ２２Ａ）において、Ａ部に発生する接続検出電圧値が１．８０Ｖ以下でない場合、ＮＯへ進み、第三の接続検出判定（Ｓ２６Ａ）に移行する。
【０１３３】
さらに、Ａ部に発生する接続検出電圧値が２．１２Ｖ以下であるかどうか、第三の接続検出判定が行われる。（ステップＳ２６Ａ）
第三の接続検出判定（Ｓ２６Ａ）において、Ａ部に発生する接続検出電圧値が２．１２Ｖ以下である場合、ＹＥＳへ進む。
【０１３４】
すると、マイクロコンピュータ２２は、定電流制御回路１２の動作停止を継続させる。（ステップＳ２７Ａ）。
【０１３５】
この場合は、点灯させるＬＥＤモジュールが接続されていないため、マイクロコンピュータ２２は、第１ＦＥＴ１４、第２ＦＥＴ１５を制御せず、定電流制御回路１２の動作停止を継続させる（ステップＳ２７Ａ）。
【０１３６】
第三の接続検出判定（Ｓ２６Ａ）において、Ａ部に発生する接続検出電圧値が２．１２Ｖ以下でない場合、ＮＯへ進み、（Ｓ２８Ａ）に移行する。
【０１３７】
すると、マイクロコンピュータ２２は、ＦＥＴ駆動回路１６に制御信号を出力し、第１ＦＥＴ１４をオフ、第２ＦＥＴ１５をオンする。（ステップＳ２８Ａ）。
【０１３８】
これと同時に、マイクロコンピュータ２２は、定電流制御回路１２を動作開始させる。（ステップＳ２９Ａ）。
【０１３９】
このため、ＬＥＤモジュール１０１ａ（高電位側）のみを点灯させる（「１灯点灯モードＡ」）。（ステップＳ３０Ａ）
【０１４０】
その後、一連の処理が終了する。（エンド）。
【０１４１】
次に、上記で説明した３水準値による「接続検出判定」と、３つの「点灯モード」の順送り処理を組み合わせることにより、ＬＥＤ点灯装置１１０にＬＥＤモジュールが１つしか接続されていない場合にも、点灯制御できる構成について説明する。
【０１４２】
図１４は、実施の形態１〜５において、商用電源ＯＦＦ時に商用電源をＯＮからＯＦＦにした時の処理を示したフローチャートである。ここでは、図２のＬＥＤ点灯装置１１０を参照しながら動作を説明する。
【０１４３】
マイクロコンピュータ２２は、電力供給一時停止時間ＴＯＦＦをＴＯＦＦ＝０に初期化する（ステップＳ１Ｂ）。
これは、商用電源ＯＦＦ動作が開始されたときに、電源供給一時停止時間ＴＯＦＦをあらかじめＴＯＦＦ＝０に初期化しておかないと、電源ＯＦＦ時間が正しくカウントできず、前回の記憶時間から累積された累積時間となるのを防ぐためである。
【０１４４】
この後、マイクロコンピュータ２２は、商用電源の電力供給一時停止時間ＴＯＦＦのカウントを開始する（ステップＳ２Ｂ）。
【０１４５】
マイクロコンピュータ２２は、電力供給一時停止時間ＴＯＦＦのカウントを継続する（ステップＳ３Ｂ）。
【０１４６】
マイクロコンピュータ２２は、電源オフ・オン状態検出回路２１の検出結果に基づいて、電力供給一時停止時間ＴＯＦＦがＴＯＦＦ≦３秒であるかどうかを判定する（ステップＳ４Ｂ）。
【０１４７】
Ｓ５Ｂにおいて、電源オフ・オン状態検出回路２１が、ＬＥＤ点灯装置１１０の電源電位に基づき、ＬＥＤ点灯装置１１０の外部からスイッチ１を介して供給される商用電源ＡＣの電圧が供給されているか否かを検出する（ステップＳ５Ｂ）。
【０１４８】
もし、Ｓ５Ｂにおいて、電力供給一時停止時間ＴＯＦＦがＴＯＦＦ≦３秒であり、商用電源からの電力供給なしと判断された場合、ＮＯへ進み、Ｓ３Ｂに戻る。（ステップＳ５Ｂ）。
【０１４９】
Ｓ５Ｂにおいて、商用電源からの電力供給ありと判断するとＹＥＳへ進み、マイクロコンピュータ２２は、商用電源ＯＮを検出する（ステップＳ６Ｂ）。
【０１５０】
すると、マイクロコンピュータ２２は、電力供給一時停止検出ありと識別し、マイクロコンピュータ２２内の不揮発性メモリ内（記憶部）の電力供給一時停止検出情報Ｆに”あり（＋１）”を記憶する。（ステップＳ７Ｂ）。
【０１５１】
この後、マイクロコンピュータ２２は、ＬＥＤ点灯装置１１０を、後に説明する商用電源ＯＮ時の処理へ移行させる（ステップＳ８Ｂ）。
【０１５２】
なお、Ｓ４Ｂにおいて、マイクロコンピュータ２２が、電力供給一時停止時間ＴＯＦＦが３秒以上であると判定した場合には、ＮＯへ進み、マイクロコンピュータ２２は、電力供給一時停止検出なしと識別し、記憶部の電力供給一時停止検出情報Ｆに”なし”を記憶する。（ステップＳ９Ｂ）。
【０１５３】
その後、一連の処理が終了する。（エンド）。
【０１５４】
図１５は、実施の形態１〜５において、商用電源ＯＮ時の処理を示したフローチャートである。ここでは、図２のＬＥＤ点灯装置１１０を参照しながら動作を説明する。
【０１５５】
スイッチ１を閉じて、商用電源がＯＮとすると、ＬＥＤ点灯装置１１０に外部から商用電源ＡＣが供給される。
マイクロコンピュータ２２は起動して、最初にフラッシュメモリ内に記憶されている、点灯モードの設定情報を読み出す（ステップＳ１Ｃ）。
これにより、マイクロコンピュータ２２は前回電源オフした時の点灯モードを認識して、先に説明した「２灯点灯モード」あるいは、「１灯点灯モード」のいずれかの点灯モードが選択される。
【０１５６】
マイクロコンピュータ２２は、点灯モードの設定情報の読み出しが完了したら、次に、先に説明した３水準値による「接続検出判定」を用いて、現在の点灯モードの判定を行う（ステップＳ２Ｃ）。
【０１５７】
マイクロコンピュータ２２は、点灯モードに基づき、ＦＥＴ駆動回路１６を通して、第１ＦＥＴ１４，第２ＦＥＴ１５を制御し、ＬＥＤモジュールの点灯制御を開始する（ステップＳ３Ｃ）。
【０１５８】
マイクロコンピュータ２２は、電力供給時間ＴＯＮをＴＯＮ＝０に初期化する（ステップＳ４Ｃ）。
これは、商用電源ＯＮ動作が開始されたときに、電源供給一時停止時間ＴＯＮをあらかじめＴＯＮ＝０に初期化しておかないと、電源ＯＮ時間がカウントできず、前回の記憶時間から累積された累積時間となるためである。
【０１５９】
この後、マイクロコンピュータ２２は、電力供給時間ＴＯＮのカウントを開始する（ステップＳ５Ｃ）。
【０１６０】
マイクロコンピュータ２２は、マイクロコンピュータ２２内のフラッシュメモリなどの不揮発性メモリ内（記憶部）から、図１４のＳ７Ｂに記録した電力供給一時停止情報Ｆを読み出す（ステップＳ６Ｃ）。
【０１６１】
この後、マイクロコンピュータ２２は、電力供給一時停止検出を開始する（ステップＳ７Ｃ）。
【０１６２】
Ｓ７Ｃで、マイクロコンピュータ２２は、電力供給一時停止を検出した場合、商用電源「オフ・オン制御」の回数をカウントするために加算処理し、商用電源供給状況を判定する。電力供給一時停止を検出する度に、電力供給一時 停止検出回数ＦＯＦＦをＦＯＦＦ＝ＦＯＦＦ＋１に、インクリメントさせる（ステップＳ８Ｃ）。
【０１６３】
電源オフ・オン状態検出回路２１が、ＬＥＤ点灯装置１１０の電源電位に基づき、ＬＥＤ点灯装置１１０の外部からスイッチ１を介して供給される商用電源ＡＣの電圧が供給されているか否かを検出する（ステップＳ９Ｃ）。
【０１６４】
Ｓ９Ｃで、マイクロコンピュータ２２は、商用電源からの電力供給なしと判断した場合、マイクロコンピュータ２２は、ＮＯへ進み、商用電源ＯＦＦを検出する（ステップＳ１９Ｃ）。
【０１６５】
すると、マイクロコンピュータ２２は、ＬＥＤ点灯装置１１０を、先に説明した商用電源ＯＦＦ時の処理へ移行する（ステップＳ２０Ｃ）。
【０１６６】
マイクロコンピュータ２２は、商用電源からの電力供給がありと判断した場合、電力供給時間ＴＯＮのカウントを、マイクロコンピュータ２２内のカウント部にて継続する（ステップＳ１０Ｃ）。
【０１６７】
マイクロコンピュータ２２は、電源オフ・オン状態検出回路２１の検出結果に基づいて、電力供給時間がＴＯＮ（オン時間）≧１０秒であるかどうか、判定する（ステップＳ１１Ｃ）。
【０１６８】
もし、Ｓ１１Ｃにおいて、電力供給時間がＴＯＮ≧１０秒でないと判断された場合、ＮＯへ進み、Ｓ７Ｃに戻る。（ステップＳ１１Ｃ）。
【０１６９】
Ｓ１１Ｃにおいて、電力供給時間がＴＯＮ≧１０秒の場合、マイクロコンピュータ２２は、電力供給一時停止回数ＦＯＦＦがＦＯＦＦ＝３回であるかどうか、判定する（ステップＳ１２Ｃ）。
【０１７０】
Ｓ１２Ｃにおいて、マイクロコンピュータ２２は、電力供給一時停止回数ＦＯＦＦが＝３回であると判断した場合、ＹＥＳへ進み、点灯モードの順送り処理を行う（ステップＳ１３Ｃ）。
【０１７１】
この後、マイクロコンピュータ２２は、マイクロコンピュータ２２内のフラッシュメモリなどの不揮発性メモリ内に書き込み、ＬＥＤモジュール１０１ａ，１０１ｂの前回電源オフした時の接続情報を記憶させておく。（ステップＳ１４Ｃ）。
【０１７２】
最後に、マイクロコンピュータ２２は、電力供給一時停止検出回数ＦＯＦＦをリセットし、ＦＯＦＦ＝０として終了させる。（ステップＳ１５Ｃ）。
【０１７３】
マイクロコンピュータ２２は、点灯モードに基づき、ＦＥＴ駆動回路１６を通して、第１ＦＥＴ１４，第２ＦＥＴ１５を制御し、ＬＥＤモジュールの点灯制御を開始する（ステップＳ１６Ｃ）。
【０１７４】
その後、一連の処理が終了する。（エンド）。
【０１７５】
なお、Ｓ７ＣあるいはＳ１２Ｃにおいて、ＮＯが選択された場合には、ＮＯへ進み、マイクロコンピュータ２２は、電力供給一時停止検出回数ＦＯＦＦをＦＯＦＦ＝０にリセットする。（ステップＳ１７Ｃ）。
これは、電力供給一時停止検出回数ＦＯＦＦが３回でないときは、瞬停や誤操作によるものと判断し、意図に反して点灯モードが切り替わることを防ぐためである。
【０１７６】
上記において、時間及び回数は任意に設定されてかまわない。
【０１７７】
この場合、マイクロコンピュータ２２は、現在の点灯モードでＬＥＤモジュール点灯制御を継続する。（ステップＳ１８Ｃ）。
【０１７８】
なお、上述した実施の形態ではＬＥＤ光源に対応した光源ユニットを備えたＬＥＤ点灯装置について説明したが、本発明はこれに限定するものではなく、ＬＥＤモジュールを変更すれば異なる用途にも適用できるものであり、ＬＥＤ光源に対応した光源ユニットを使用したＬＥＤ点灯装置以外の照明装置についても適用できる。
【０１７９】
以上のように、照明装置において、外部から入力される商用電源ＡＣのオフ・オンを電源のオフ・オン状態検出回路２１が検出し、電源オフ・オン状態検出回路２１の検出結果に基づいて、マイクロコンピュータ２２が第１ＦＥＴ１４及び、第２ＦＥＴ１５をバイパス制御することにより、電源のオン・オフ操作で、直列に接続された複数のＬＥＤモジュールを間引き点灯できる。
【符号の説明】
【０１８０】
１  スイッチ、２  整流回路、３  第１インダクタ、
４  第１スイッチング素子、５  第１制御ＩＣ、
６  ダイオード、７  平滑コンデンサ、
８  抵抗、９  抵抗、１０  ツェナーダイオード、
１１  第２スイッチング素子、１２  定電流制御回路、１３  第２インダクタ、
１４  第１ＦＥＴ、１５  第２ＦＥＴ、
１６  ＦＥＴ駆動回路、
１７  抵抗、１８  抵抗、１９  抵抗、
２０  ＬＥＤ電流検出抵抗、
２１  電源オフ・オン状態検出回路、２２  マイクロコンピュータ、
２３ａ,２３ｂ,２３ｃ,２３ｄ  接続部、
２４ａ,２４ｂ  識別用抵抗、
２５ａ,２５ｂ,２５ｃ,２５ｄ,２５ｅ,２５ｆ  ＬＥＤパッケージ、
２６  中間接続線、
１００  ランプソケット、
１１０,１２０,１３０,１４０,１５０  ＬＥＤ点灯装置、
１０１ａ  ＬＥＤモジュール（高電位側），１０１ｂ  ＬＥＤモジュール（低電位側）
１０００  照明器具、
２０００  器具本体、
３０００  反射板
【図１】
2014017140.tif 000003
【図２】
2014017140.tif 000004
【図３】
2014017140.tif 000005
【図４】
2014017140.tif 000006
【図５】
2014017140.tif 000007
【図６】
2014017140.tif 000008
【図７】
2014017140.tif 000009
【図８】
2014017140.tif 000010
【図９】
2014017140.tif 000011
【図１０】
2014017140.tif 000012
【図１１】
2014017140.tif 000013
【図１２】
2014017140.tif 000014
【図１３】
2014017140.tif 000015
【図１４】
2014017140.tif 000016
【図１５】
2014017140.tif 000017